(57)【要約】  本開示の実施例は、測定報告方法及び機器を提供する。該方法は、ネットワーク側から送信されたターゲットセルの測定設定に基づいてタイマを起動させることと、前記タイマがタイムアウトする前に、前記ターゲットセルの識別情報を取得できないと判定することと、前記ＵＥが前記ターゲットセルの識別情報を取得できないことを前記ネットワーク側に報告することとを含む。
2021518999.tif 000002
【特許請求の範囲】
【請求項１】
ＵＥ（Ｕｓｅｒ  Ｅｑｕｉｐｍｅｎｔ）に適用される測定報告方法であって、
ネットワーク側から送信されたターゲットセルの測定設定に基づいてタイマを起動させることと、
前記タイマがタイムアウトする前に、前記ターゲットセルの識別情報を取得できないと判定することと、
前記ＵＥが前記ターゲットセルの識別情報を取得できないことを前記ネットワーク側に報告することとを含む、測定報告方法。
【請求項２】
前記の前記ＵＥが前記ターゲットセルの識別情報を取得できないことを前記ネットワーク側に報告することは、
前記タイマがタイムアウトする前に前記タイマを停止し、前記ＵＥが前記ターゲットセルの識別情報を取得できないことを前記ネットワーク側に報告することを含む、請求項１に記載の方法。
【請求項３】
前記の前記タイマがタイムアウトする前に、前記ターゲットセルの識別情報を取得できないと判定することは、
前記タイマがタイムアウトする前に、前記測定設定に基づいて前記ターゲットセルのＭＩＢ（Ｍａｓｔｅｒ  Ｉｎｆｏｒｍａｔｉｏｎ  Ｂｌｏｃｋ）情報を取得することと、
前記ターゲットセルがＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）をブロードキャストしない第１指示を前記ＭＩＢ情報に付帯する場合、前記ターゲットセルの識別情報を取得できないと判定することとを含む、請求項１に記載の方法。
【請求項４】
前記第１指示は、前記ＭＩＢ情報における特定のコードポイント又は特定のコードポイントの組み合わせによって表され、
ここで、前記特定のコードポイントは１つのドメインに対応し、前記特定のコードポイントの組み合わせは複数のドメインに対応する、請求項３に記載の方法。
【請求項５】
前記の前記ＵＥが前記ターゲットセルの識別情報を取得できないことを前記ネットワーク側に報告することは、
前記ＵＥが前記ターゲットセルの識別情報を取得できないことを、明示的又は暗示的な報告方式で前記ネットワーク側に報告することを含む、請求項１又は２に記載の方法。
【請求項６】
前記の前記ＵＥが前記ターゲットセルの識別情報を取得できないことを、明示的な報告方式で前記ネットワーク側に報告することは、
前記ターゲットセルがセル識別情報又はＲＭＳＩをブロードキャストしていないことを指示する第２指示情報を、前記ネットワーク側に送信することを含む、請求項５に記載の方法。
【請求項７】
ユーザ機器ＵＥに適用される測定報告方法であって、
ネットワーク側から送信されたターゲットセルの測定設定に基づいてタイマを起動させることと、
前記タイマがタイムアウトする前に、前記ターゲットセルの必要なシステム情報を取得することと、
前記必要なシステム情報及び１つのＭＩＢの送信周波数ポイントを前記ネットワーク側に送信することとを含み、
ここで、前記ＭＩＢは、ＵＥが実際に読み取ったＲＭＳＩ送信位置情報のＭＩＢである、測定報告方法。
【請求項８】
前記の前記必要なシステム情報及び１つのＭＩＢの送信周波数ポイントを前記ネットワーク側に送信することは、
前記タイマを停止し、前記必要なシステム情報及び１つのＭＩＢの送信周波数ポイントを前記ネットワーク側に送信することを含む、請求項７に記載の方法。
【請求項９】
前記タイマは、ネットワーク側によって設定され、又はプロトコルによって予め定められる、請求項７に記載の方法。
【請求項１０】
ネットワーク側から送信されたターゲットセルの測定設定に基づいてタイマを起動させる第１設定モジュールと、
前記タイマがタイムアウトする前に、前記ターゲットセルの識別情報を取得できないと判定する判定モジュールと、
前記ＵＥが前記ターゲットセルの識別情報を取得できないことを前記ネットワーク側に報告する第１報告モジュールとを含む、ＵＥ。
【請求項１１】
前記第１報告モジュールは、さらに、前記タイマがタイムアウトする前に、前記タイマに計時を停止するように指示し、前記ＵＥが前記ターゲットセルの識別情報を取得できないことを前記ネットワーク側に報告する、請求項１０に記載のユーザ機器。
【請求項１２】
前記判定モジュールは、さらに、前記タイマがタイムアウトする前に、前記測定設定に基づいて前記ターゲットセルのＭＩＢ情報を取得し、前記ターゲットセルがＲＭＳＩをブロードキャストしない第１指示を前記ＭＩＢ情報に付帯する場合、前記ターゲットセルの識別情報を取得できないと判定する、請求項１０に記載のユーザ機器。
【請求項１３】
前記第１指示は、前記ＭＩＢ情報における特定のコードポイント又は特定のコードポイントの組み合わせによって表され、
ここで、前記特定のコードポイントは１つのドメインに対応し、前記特定のコードポイントの組み合わせは複数のドメインに対応する、請求項１２に記載のユーザ機器。
【請求項１４】
前記第１報告モジュールは、さらに、前記ＵＥが前記ターゲットセルの識別情報を取得できないことを、明示的又は暗示的な報告方式で前記ネットワーク側に報告する、前記請求項１０に記載のユーザ機器。
【請求項１５】
前記第１報告モジュールは、さらに、前記ターゲットセルがセル識別情報又はＲＭＳＩをブロードキャストしていないことを指示する第２指示情報を、前記ネットワーク側に送信する、請求項１１に記載のユーザ機器。
【請求項１６】
ネットワーク側から送信されたターゲットセルの測定設定に基づいてタイマを起動させる第２設定モジュールと、
前記タイマがタイムアウトする前に、前記ターゲットセルの必要なシステム情報を取得する取得モジュールと、
前記必要なシステム情報及び１つのＭＩＢの送信周波数ポイントを前記ネットワーク側に送信する第２報告モジュールとを含み、
ここで、前記ＭＩＢは、ＵＥが実際に読み取ったＲＭＳＩ送信位置情報のＭＩＢである、ユーザ機器。
【請求項１７】
前記第２報告モジュールは、さらに、前記タイマに計時を停止するように指示し、前記必要なシステム情報及び１つのＭＩＢの送信周波数ポイントを前記ネットワーク側に送信する、請求項１６に記載のユーザ機器。
【請求項１８】
前記タイマは、ネットワーク側によって設定され、又はプロトコルによって予め定められる、請求項１６に記載のユーザ機器。
【請求項１９】
プロセッサと、メモリと、前記メモリに記憶されて前記プロセッサ上で動作可能で、前記プロセッサによって実行されると、請求項１〜６のいずれか１項に記載の測定報告方法、又は請求項７〜９のいずれか１項に記載の測定報告方法を実現するコンピュータプログラムとを含むユーザ機器。
【請求項２０】
プロセッサによって実行されると、請求項１〜６のいずれか１項に記載の測定報告方法、又は請求項７〜９のいずれか１項に記載の測定報告方法を実現するコンピュータプログラムが記憶されているコンピュータ読み取り可能な記憶媒体。
【発明の詳細な説明】
【技術分野】
【０００１】
本願は、２０１８年１月９日に提出された中国特許出願第２０１８１００１８０３１．８号の優先権を主張するものであり、その全ての内容は援用により本願に組み込まれるものとする。
【０００２】
本開示の実施例は、通信の技術分野に関し、具体的には測定報告方法及び機器に関する。
【背景技術】
【０００３】
移動通信技術の発展に伴い、ますます多くの通信効率を向上させる技術、例えば、ロングタームエボリューション（Ｌｏｎｇ  Ｔｅｒｍ  Ｅｖｏｌｕｔｉｏｎ、ＬＴＥ）における自動隣接関係（Ａｕｔｏｍａｔｉｃ  ｎｅｉｇｈｂｏｒ  ｒｅｌａｔｉｏｎ、ＡＮＲ）メカニズムなどが導入されている。
【０００４】
ハンドオーバ及び干渉コーディネーションを行うために、発展型基地局（ｅｖｏｌｖｅｄ  Ｎｏｄｅ  Ｂ、ｅＮＢ）は、その配下のセルに対して隣接関係テーブルを確立し維持する必要がある。自動隣接関係機能は、ｅＮＢが設定されていない隣接セルを発見し、隣接関係テーブルにおける対応するテーブルエントリの確立及び維持操作をトリガーするのを支援する。自動隣接関係メカニズムは、同じ周波数の隣接セルを発見するのに適するだけでなく、異なる周波数の隣接セル及び異なるシステムの隣接セルを発見することができる。隣接セルの発見プロセスは、図１に示すとおりである。
【０００５】
図１において、ｅＮＢ  Ａのカバレッジ内のユーザ機器（Ｕｓｅｒ  Ｅｑｕｉｐｍｅｎｔ、ＵＥ）は、従来の隣接セルの測定を完了して、測定結果を報告し、測定報告において、セルＢの周波数ポイントと物理セル識別子（Ｐｈｙｓｉｃａｌ  Ｃｅｌｌ  Ｉｄｅｎｔｉｆｉｅｒ、ＰＣＩ）の組み合わせを測定されるセル識別子とする（ステップ１１）。ｅＮＢ  Ａは、測定報告に付帯した周波数ポイントとＰＣＩが１つの設定されていない隣接セルに対応することを発見すると、該周波数ポイントとＰＣＩの組み合わせに対応するセルのブロードキャスト情報を読み取ることと、セルＢのグローバルセル識別子（Ｃｅｌｌ  Ｇｌｏｂａｌ  Ｉｄｅｎｔｉｆｉｅｒ、ＣＧＩ）、トラッキングエリアコード（Ｔｒａｃｋｉｎｇ  Ａｒｅａ  Ｃｏｄｅ、ＴＡＣ）及び公衆陸上移動体ネットワーク識別子（Ｐｕｂｌｉｃ  Ｌａｎｄ  Ｍｏｂｉｌｅ  Ｎｅｔｗｏｒｋ、ＰＬＭＮ）等のパラメータを取得することをＵＥに行わせるように、ＵＥに指示し、該指示コマンドは、測定設定の形態でＵＥに送信され、１つの測定識別子（ＩＤ）と関連付ける（ステップ１２）。上記測定設定を取得すると、ＵＥは、タイマを起動させて、ターゲットセルのシステム情報取得プロセスを開始し（ステップ１３）、タイマがタイムアウトする前に、ＵＥが必要なシステム情報を取得した場合、ネットワークに上記測定ＩＤ、セルＢのＰＣＩ、ＴＡＣ、ＣＧＩ及びＰＬＭＮ等の情報を報告し（ステップ１４）、タイマがタイムアウトするが、ＵＥが全ての必要なシステム情報を取得していない場合、ＵＥはネットワークに上記測定ＩＤを報告する。報告内容には、必要なシステム情報が含まれないため、ｅＮＢ  Ａは、ＵＥが必要な隣接セル情報の取得に成功しなかったと推定できる。ＵＥが上記必要な情報の取得に成功してそれをフィードバックした場合、ｅＮＢ  Ａは、セルＢをセルＡの隣接関係テーブルに追加でき、図中のｅＮＢ  Ａに対応するパラメータは、Ｃｅｌｌ  Ａ、Ｆｒｅｑ＝Ｍ、ＰＣＩ＝Ｎ、ＧＣＩ＝Ｏを含み、ｅＮＢ  Ｂに対応するパラメータは、Ｃｅｌｌ  Ｂ、Ｆｒｅｑ＝Ｘ、ＰＣＩ＝Ｙ、ＧＣＩ＝Ｚを含む。
【０００６】
従来の隣接関係の手動設定プロセスと比較すると、自動隣接関係メカニズムは、計画段階でのエンジニアリングパラメータの計測、最適化段階でのドライブテスト支援を回避するだけでなく、隣接セル設定の欠落、設定エラーの発生を減少させ、コストを低減すると共に、最適化効率を向上させる。
【０００７】
ＬＴＥ  ＡＮＲメカニズムを新たな無線技術（Ｎｅｗ  Ｒａｄｉｏ、ＮＲ）に用いる場合、以下の問題が生じる。ＵＥがＮＲのシステム情報を読み取った後、該ＮＲセルが残りの最小システム情報（Ｒｅｍａｉｎｉｎｇ  ＭＳＩ、ＲＭＳＩ）をブロードキャストしないこと（例えば、マスタ情報ブロック（Ｍａｓｔｅｒ  Ｉｎｆｏｒｍａｔｉｏｎ  Ｂｌｏｃｋ、ＭＩＢ）は、ＲＭＳＩ取得支援情報を含まないか、又はＲＭＳＩをブロードキャストしていないことを指示する）を発見した場合、ＵＥは、報告する前にタイマがタイムアウトすることを待つ必要がある。ＵＥの報告に基づいて、ＵＥのサービング基地局は、ターゲットセルのシステム情報の読み取りの失敗が、ターゲットセルがブロードキャストしていないことに起因することを知ることができず、その結果、サービング基地局は、該ターゲットセルを測定し続けるために他のＵＥを設定する可能性がある。
【発明の概要】
【課題を解決するための手段】
【０００８】
本開示の実施例は、測定報告方法及び機器を提供することを１つの目的とする。
【０００９】
第１態様では、ＵＥ（Ｕｓｅｒ  Ｅｑｕｉｐｍｅｎｔ）に適用される測定報告方法であって、ネットワーク側から送信されたターゲットセルの測定設定に基づいてタイマを起動させることと、前記タイマがタイムアウトする前に、前記ターゲットセルの識別情報を取得できないと判定することと、前記ＵＥが前記ターゲットセルの識別情報を取得できないことを前記ネットワーク側に報告することとを含む、測定報告方法を提供する。
【００１０】
第２態様では、ＵＥに適用される測定報告方法であって、ネットワーク側から送信されたターゲットセルの測定設定に基づいてタイマを起動させることと、前記タイマがタイムアウトする前に、前記ターゲットセルの必要なシステム情報を取得することと、前記必要なシステム情報及び１つのＭＩＢ（Ｍａｓｔｅｒ  Ｉｎｆｏｒｍａｔｉｏｎ  Ｂｌｏｃｋ）の送信周波数ポイントを前記ネットワーク側に送信することとを含み、前記ＭＩＢは、ＵＥが実際に読み取ったＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）送信位置情報のＭＩＢである、測定報告方法をさらに提供する。
【００１１】
第３態様では、ネットワーク側から送信されたターゲットセルの測定設定に基づいてタイマを起動させる第１設定モジュールと、前記タイマがタイムアウトする前に、前記ターゲットセルの識別情報を取得できないと判定する判定モジュールと、前記ＵＥが前記ターゲットセルの識別情報を取得できないことを前記ネットワーク側に報告する第１報告モジュールとを含む、ユーザ機器をさらに提供する。
【００１２】
第４態様では、ネットワーク側から送信されたターゲットセルの測定設定に基づいてタイマを起動させる第２設定モジュールと、前記タイマがタイムアウトする前に、前記ターゲットセルの必要なシステム情報を取得する取得モジュールと、前記必要なシステム情報及び１つのＭＩＢの送信周波数ポイントを前記ネットワーク側に送信する第２報告モジュールとを含み、前記ＭＩＢは、ＵＥが実際に読み取ったＲＭＳＩ送信位置情報のＭＩＢである、ユーザ機器をさらに提供する。
【００１３】
第５態様では、プロセッサと、メモリと、前記メモリに記憶されて前記プロセッサ上で動作可能で、前記プロセッサによって実行されると、第１態様に記載の測定報告方法、又は第２態様に記載の測定報告方法を実現するコンピュータプログラムとを含むユーザ機器をさらに提供する。
【００１４】
第６態様では、プロセッサによって実行されると、第１態様に記載の測定報告方法、又は第２態様に記載の測定報告方法を実現するコンピュータプログラムが記憶されているコンピュータ読み取り可能な記憶媒体をさらに提供する。
【図面の簡単な説明】
【００１５】
以下の好ましい実施形態の詳細な説明を読むことにより、他の様々な利点及び利益は当業者にとって明確になる。図面は、好ましい実施形態を示すことのみを目的とするものであり、本開示を限定するものと解釈されるべきではない。また、図面全体において、同じ参照符号は同じ部材を示す。
【００１６】
図面において、
【図１】ＡＮＲ機能の一例の概略図である。
【図２】送信周波数位置情報の概略図である。
【図３】本開示の実施例に係る無線通信システムのアーキテクチャの概略図である。
【図４】本開示の実施例に係る測定報告方法のフローチャート（その１）である。
【図５】本開示の実施例に係る測定報告方法のフローチャート（その２）である。
【図６】本開示の実施例に係る測定報告方法のフローチャート（その３）である。
【図７】本開示の実施例に係る測定報告方法のフローチャート（その４）である。
【図８】本開示の実施例に係るユーザ機器の構造図（その１）である。
【図９】本開示の実施例に係るユーザ機器の構造図（その２）である。
【図１０】本開示の実施例に係るユーザ機器の構造図（その３）である。
【発明を実施するための形態】
【００１７】
以下、本開示の実施例における図面を参照しながら、本開示の実施例における技術手段を明確かつ完全的に記載する。明らかに、記載される実施例は、本開示の実施例の一部であり、全てではない。本開示の実施例に基づき、当業者が創造的な労働をしない前提で得られる他の全ての実施例は、いずれも本開示の保護範囲に属するものである。
【００１８】
本願の明細書及び特許請求の範囲における用語「含む」及びその任意の変形は、非排他的な包含をカバーすることを意図し、例えば、一連のステップ又はユニットを含むプロセス、方法、システム、製品又は機器は、明確に示されたステップ又はユニットに限定されず、明確に示されていないか又はこれらのプロセス、方法、製品又は機器に固有の、他のステップ又はユニットを含んでもよい。また、明細書及び特許請求の範囲において使用される「及び／又は」は、接続対象の少なくとも１つを表し、例えば、Ａ及び／又はＢは、Ａのみが存在すること、Ｂのみが存在すること、ならびにＡ及びＢの両方が存在すること、の３つの場合を表す。
【００１９】
本開示の実施例において、「例示的」又は「例えば」等の用語は、例、例証又は例示として表すために用いられる。本開示の実施例において「例示的」又は「例えば」と記載される任意の実施例又は設計案は、他の実施例又は設計案よりも好ましい又は有利であると解釈されるべきではない。具体的には、「例示的」又は「例えば」等の用語の使用は、具体的な方式で関連する概念を提示することを目的とする。
【００２０】
本開示の実施例の技術手段をよりよく理解するために、以下、新たな無線技術（Ｎｅｗ  Ｒａｄｉｏ、ＮＲ）におけるシステム情報送信プロセスを説明する。
【００２１】
ＮＲにおいて、システム情報は、最小システム情報（Ｍｉｎｉｍｕｍ  Ｓｙｓｔｅｍ  Ｉｎｆｏｒｍａｔｉｏｎ、ＭＳＩ）と他のシステム情報（ｏｔｈｅｒ  ＳＩ）とに分けられる。ＭＳＩは、マスタ情報ブロック（Ｍａｓｔｅｒ  Ｉｎｆｏｒｍａｔｉｏｎ  Ｂｌｏｃｋ、ＭＩＢ）と残りの最小システム情報（Ｒｅｍａｉｎｉｎｇ  ＭＳＩ、ＲＭＳＩ）との２つの部分に分けて送信される。残りの最小システム情報は、システム情報ブロック１（ＳＩＢ１、Ｓｙｓｔｅｍ  Ｉｎｆｏｒｍａｔｉｏｎ  Ｂｌｏｃｋ１）とも呼ばれる。ＡＮＲに必要なセル識別情報、例えば、グローバルセル識別子、トラッキングエリアコード及び公衆陸上移動体ネットワーク識別子等のパラメータの一部又は全部は、ＲＭＳＩでブロードキャストされ、残りの部分（あれば）はｏｔｈｅｒ  ＳＩでブロードキャストされる。Ｏｔｈｅｒ  ＳＩによって送信されたスケジューリング情報は、ＲＭＳＩによって指示され、即ち、ＵＥはＲＭＳＩを取得してこそｏｔｈｅｒ  ＳＩを取得できる。
【００２２】
ＵＥは、所定の周波数位置のセットからＭＩＢを検索でき、ＭＩＢを検出すると、ＭＩＢの指示に従って、周波数位置等のＲＭＳＩの送信パラメータを決定できる。即ち、ＵＥはＭＩＢを取得してこそＲＭＳＩを取得できる。
【００２３】
しかしながら、あるネットワーク設定では、ＭＩＢは、ＲＭＳＩの送信パラメータを指示しない。
【００２４】
場合１：現在のＮＲセルは、独立して機能せず、ＲＭＳＩをブロードキャストする必要がない。
【００２５】
場合２：現在のＮＲ  ｃｅｌｌは、帯域幅が広く、所定の周波数位置のセットにおける複数の周波数ポイントを含む。これは、上記複数の周波数ポイントのうちの一部の周波数ポイントで送信されたＭＩＢのみでＲＭＳＩの送信パラメータを指示する（ＲＭＳＩパラメータ指示情報を含むＭＩＢは、第１タイプのＭＩＢと呼ばれる）。残りの周波数ポイントでＭＩＢを送信する場合、ＭＩＢは、ＲＭＳＩの送信パラメータを指示しないが（ＲＭＳＩパラメータ指示情報を含まないＭＩＢは、第２タイプのＭＩＢと呼ばれる）、第１タイプのＭＩＢの送信設定情報、例えば、図２に示すとおりである送信された周波数位置情報を指示できる。
【００２６】
以下、図面を参照しながら、本開示の実施例を説明する。本開示の実施例に提供される測定報告方法及び機器は、ＵＥがＮＲセルのシステム情報を読み取った後、該ＮＲセルがＲＭＳＩをブロードキャストしない場合、ＵＥが報告する前にタイマがタイムアウトすることを待つ必要があるという問題を解決できる。それにより、本開示の実施例において、ネットワーク側から送信されたターゲットセルの測定設定に基づいてタイマを起動させ、前記ターゲットセルの識別情報を取得できないと判定すると、前記ＵＥが前記ターゲットセルの識別情報を取得できないことを前記ネットワーク側に報告することにより、ＵＥが報告をトリガーする前にタイマがタイムアウトすることを待つ必要があることを回避し、ＵＥのＡＮＲ測定プロセスを加速する。
【００２７】
測定報告の前記方法及び機器は、無線通信システムに適用することができる。該無線通信システムは、第５世代移動通信技術（５ｔｈ  Ｇｅｎｅｒａｔｉｏｎ、５Ｇ）を利用したシステム（以下、５Ｇシステムと略称する）であってもよく、図３に示すとおり、本開示の実施例において提供される無線通信システムのアーキテクチャの概略図である。図３に示すとおり、該無線通信システムは、ネットワーク側機器３０及びユーザ機器を含んでもよく、該ユーザ機器を、例えば、ネットワーク側機器３０と通信できるＵＥ３１と表記する。実際の応用において、上記各機器間の接続は無線接続であってもよく、各機器間の接続関係を簡単かつ直感的に表すために、図３において実線で示す。
【００２８】
なお、上記通信システムは複数のＵＥと、複数のＵＥと通信（信号送信又はデータ送信）できるネットワーク側機器とを含んでもよい。
【００２９】
本開示の実施例において提供されるネットワーク側機器は、基地局であってもよく、該ネットワーク側機器は、一般的に使用される基地局であってもよく、発展型基地局（Ｅｖｏｌｖｅｄ  Ｎｏｄｅ  Ｂａｓｅ  ｓｔａｔｉｏｎ、ｅＮＢ）であってもよく、５Ｇシステムにおけるネットワーク側機器（例えば、次世代基地局（ｎｅｘｔ  ｇｅｎｅｒａｔｉｏｎ  Ｎｏｄｅ  Ｂａｓｅ  ｓｔａｔｉｏｎ、ｇＮＢ）又は送受信ポイント（Ｔｒａｎｓｍｉｓｓｉｏｎ  ａｎｄ  Ｒｅｃｅｐｔｉｏｎ  Ｐｏｉｎｔ、ＴＲＰ））等の機器であってもよい。
【００３０】
本開示の実施例において提供されるユーザ機器は、携帯電話、タブレットコンピュータ、ノートブックコンピュータ、ウルトラモバイルパーソナルコンピュータ（Ｕｌｔｒａ−Ｍｏｂｉｌｅ  Ｐｅｒｓｏｎａｌ  Ｃｏｍｐｕｔｅｒ、ＵＭＰＣ）、ネットブック又はパーソナルデジタルアシスタント（Ｐｅｒｓｏｎａｌ  Ｄｉｇｉｔａｌ  Ａｓｓｉｓｔａｎｔ、ＰＤＡ）等であってもよい。
【００３１】
本開示の目的、技術手段及び利点をより明確にするために、以下、本開示の実施例における図面を参照しながら、本開示の実施例における技術手段を明確かつ完全的に記載する。明らかに、記載される実施例は、本開示の実施例の一部であり、全てではない。本開示の実施例に基づき、当業者が創造的な労働をしない前提で得られる他の全ての実施例は、いずれも本開示の保護範囲に属するものである。
【００３２】
図４に示すとおり、本開示の実施例に係る測定報告方法のフローを示し、該方法の実行主体はＵＥであってもよく、具体的なステップは以下のとおりである。
【００３３】
ステップ４０１では、ネットワーク側から送信されたターゲットセルの測定設定に基づいてタイマを起動させる。
【００３４】
選択的には、前記タイマは、ネットワーク側によって設定されてもよく、又はプロトコルによって予め定められてもよい。
【００３５】
ステップ４０２では、タイマがタイムアウトする前に、ターゲットセルの識別情報を取得できないと判定する。
【００３６】
選択的には、ステップ４０２において、タイマがタイムアウトする前に、測定設定に基づいて前記ターゲットセルのＭＩＢ情報を取得し、前記ターゲットセルがＲＭＳＩをブロードキャストしない第１指示を前記ＭＩＢ情報に付帯する場合、前記ターゲットセルの識別情報を取得できないと判定する。
【００３７】
選択的には、第１指示は、ＭＩＢ情報における特定のコードポイント又は特定のコードポイントの組み合わせによって表され、特定のコードポイント（Ｃｏｄｅ  Ｐｏｉｎｔ）は１つのドメインに対応し、前記特定のコードポイントの組み合わせは複数のドメインに対応する。
【００３８】
ステップ４０３では、ＵＥがターゲットセルの識別情報を取得できないことをネットワーク側に報告する。
【００３９】
選択的には、ステップ４０３において、タイマがタイムアウトする前に、タイマを停止し、前記ＵＥが前記ターゲットセルの識別情報を取得できないことをネットワーク側に報告する。
【００４０】
選択的には、ステップ４０３において、タイマがタイムアウトする前に、タイマを停止し、前記ＵＥが前記ターゲットセルの識別情報を取得できないことを、明示的又は暗示的な報告方式で前記ネットワーク側に報告する。例えば、明示的な報告方式として、ターゲットセルがセル識別情報又はＲＭＳＩをブロードキャストしていないことを指示する第２指示情報を、ネットワーク側に送信する。
【００４１】
このように、ＵＥが報告をトリガーする前にタイマがタイムアウトすることを待つ必要があることを回避し、ＵＥのＡＮＲ測定プロセスを加速することができる。
【００４２】
図５に示すとおり、本開示の実施例に係る測定報告方法のフローを示し、該方法の実行主体はＵＥであってもよく、具体的なステップは以下のとおりである。
【００４３】
ステップ５０１では、ネットワーク側から送信されたターゲットセルの測定設定に基づいてタイマを起動させる。
【００４４】
選択的には、前記タイマは、ネットワーク側によって設定されてもよく、又はプロトコルによって予め定められてもよい。
【００４５】
ステップ５０２では、タイマがタイムアウトする前に、測定設定に基づいてターゲットセルの必要なシステム情報を取得する。
【００４６】
選択的には、必要なシステム情報は、ＵＥが報告する必要があるシステム情報であり、ターゲットセルのＰＣＩ、ＴＡＣ、ＣＧＩ及びＰＬＭＮ等の情報を含むが、それらに限定されない。
【００４７】
ステップ５０３では、必要なシステム情報及び１つのＭＩＢの送信周波数ポイントをネットワーク側に送信し、該ＭＩＢは、ＵＥが実際に読み取ったＲＭＳＩ送信位置情報のＭＩＢである。
【００４８】
選択的には、ステップ５０３において、前記タイマを停止し、前記必要なシステム情報及び１つのＭＩＢの送信周波数ポイントを前記ネットワーク側に送信する。
【００４９】
このように、ＵＥが報告をトリガーする前にタイマがタイムアウトすることを待つ必要があることを回避し、ＵＥのＡＮＲ測定プロセスを加速することができる。
【００５０】
例１：ネットワークがＲＭＳＩをブロードキャストしていないシーン
【００５１】
図６に示すとおり、本開示の実施例に係る測定報告方法のフローを示し、具体的なステップは以下のとおりである。
【００５２】
ステップ６０１では、ＵＥは、ネットワーク側から送信された測定設定を受信し、測定設定は、測定目的及びターゲットセル情報を含み、測定目的は、セル識別を報告することであり、ターゲットセル情報は、測定ＩＤがＸであることと、周波数ポイントがｆ１であることと、ＰＣＩがＹであることとを含む。
【００５３】
ステップ６０２では、ＵＥは、測定設定を受信した後、タイマを起動させる。
【００５４】
選択的には、タイマのタイミングの長さは、ネットワーク側によって設定されてもよく、又はプロトコルによって定められてもよい。
【００５５】
ステップ６０３では、タイマがタイムアウトする前に、ＵＥは測定設定に対応するターゲットセルのＭＩＢ情報を取得し、本セルがＲＭＳＩをブロードキャストしない指示をＭＩＢ情報に付帯する。
【００５６】
ステップ６０４では、ＵＥはタイマを停止し、該ＵＥが対応するターゲットセルの識別情報を取得していないことをネットワーク側に報告する。
【００５７】
選択的には、ＵＥは、該ＵＥが対応するターゲットセルの識別情報を取得していないことを、明示的又は暗示的な報告方式でネットワーク側に報告する。
【００５８】
１）明示的な報告の内容は、測定ＩＤ＝Ｘ、ターゲットセルＩＤを取得していない指示、ターゲットセルがＲＭＳＩをブロードキャストしていない指示等のうちいずれか１つ又は複数の組み合わせを含む。
【００５９】
２）暗示的な報告の内容は、測定ＩＤがＸであることを含むが、有効なＴＡＣ、ＣＧＩ及びＰＬＭＮ情報を含まず、即ち、上記情報を全て含まないか又は報告された上記情報の値が正常な値範囲外の値をとることである。ネットワーク側は、報告された内容を受信した後、ＵＥがターゲットセルの識別情報の読み取りに成功しなかったと推定できる。
【００６０】
このように、ＵＥが報告をトリガーする前にタイマがタイムアウトすることを待つ必要があることを回避し、ＵＥのＡＮＲ測定プロセスを加速することができる。
【００６１】
例２：ネットワークがＲＭＳＩをブロードキャストするシーン
【００６２】
図７に示すとおり、本開示の実施例に係る測定報告方法のフローを示し、具体的なステップは以下のとおりである。
【００６３】
ステップ７０１では、ＵＥは、ネットワーク側から送信された測定設定を受信し、測定設定は、測定目的及びターゲットセル情報を含み、測定目的は、セル識別子を報告することであり、ターゲットセル情報は、測定ＩＤがＸであることと、周波数ポイントがｆ１であることと、ＰＣＩ＝Ｙであることとを含む。
【００６４】
ステップ７０２では、ＵＥは、測定設定を受信した後、タイマを起動させる。
【００６５】
選択的には、タイマのタイミングの長さは、ネットワーク側によって設定されてもよく、又はプロトコルによって定められてもよい。
【００６６】
ステップ７０３では、タイマがタイムアウトする前に、ＵＥは周波数ポイントｆ１、ＰＣＩ＝Ｙに基づいてターゲットセルの第２タイプのＭＩＢを取得してから、第２タイプのＭＩＢの指示に基づいて周波数ポイントｆ３、ＰＣＩ＝Ｙでターゲットセルの第１タイプのＭＩＢを取得し、ＵＥは、該第１タイプのＭＩＢの指示に基づいてＲＭＳＩ情報を取得する。
【００６７】
ステップ７０４では、ＵＥはタイマを停止し、対応するターゲットセルの識別情報を取得したことをネットワーク側に報告する。
【００６８】
本開示の実施例において、報告内容は、測定ＩＤ＝Ｘ、第１タイプのＭＩＢが位置する周波数ポイントｆ３、ターゲットセルのＰＣＩ＝Ｙ、取得されたＴＡＣ、ＣＧＩ及びＰＬＭＮ等の情報、のうちいずれか１つ又は複数の組み合わせを含む。
【００６９】
このように、ＵＥが報告をトリガーする前にタイマがタイムアウトすることを待つ必要があることを回避し、ＵＥのＡＮＲ測定プロセスを加速することができる。
【００７０】
本発明の実施例は、ユーザ機器をさらに提供し、ユーザ機器が問題を解決する原理が本開示の実施例における測定報告方法と同様であるため、該ユーザ機器の実施は方法の実施を参照してもよく、重複の説明を省略する。
【００７１】
図８に示すとおり、本開示の実施例に係るユーザ機器８００の構造を示し、該ユーザ機器８００は、ネットワーク側から送信されたターゲットセルの測定設定に基づいてタイマを起動させる第１設定モジュール８０１と、前記タイマがタイムアウトする前に、前記ターゲットセルの識別情報を取得できないと判定する判定モジュール８０２と、前記ＵＥが前記ターゲットセルの識別情報を取得できないことを前記ネットワーク側に報告する第１報告モジュール８０３とを含む。
【００７２】
本開示の実施例において、選択的には、前記第１報告モジュール８０３は、さらに、前記タイマがタイムアウトする前に、前記タイマに計時を停止するように指示し、かつ前記ＵＥが前記ターゲットセルの識別情報を取得できないことを前記ネットワーク側に報告する。
【００７３】
本開示の実施例において、選択的には、前記判定モジュール８０２は、さらに、前記タイマがタイムアウトする前に、前記測定設定に基づいて前記ターゲットセルのマスタ情報ブロックＭＩＢ情報を取得し、前記ターゲットセルが残りの最小システム情報ＲＭＳＩをブロードキャストしない第１指示を前記ＭＩＢ情報に付帯する場合、前記ターゲットセルの識別情報を取得できないと判定する。
【００７４】
本開示の実施例において、選択的には、前記第１指示は、前記ＭＩＢ情報における特定のコードポイント又は特定のコードポイントの組み合わせによって表され、前記特定のコードポイントは１つのドメインに対応し、前記特定のコードポイントの組み合わせは複数のドメインに対応する。
【００７５】
本開示の実施例において、選択的には、前記第１報告モジュール８０３は、さらに、前記ＵＥが前記ターゲットセルの識別情報を取得できないことを、明示的又は暗示的な報告方式で前記ネットワーク側に報告する。
【００７６】
本開示の実施例において、選択的には、前記第１報告モジュール８０３は、さらに、前記ターゲットセルがセル識別情報又はＲＭＳＩをブロードキャストしていないことを指示する第２指示情報を、前記ネットワーク側に送信する。
【００７７】
本開示の実施例において提供されるユーザ機器は、上記方法の実施例を実行でき、その実現原理及び技術的効果は同様であるため、ここでは説明を省略する。
【００７８】
本発明の実施例は、ユーザ機器をさらに提供し、ユーザ機器が問題を解決する原理が本開示の実施例における測定報告方法と同様であるため、該ユーザ機器の実施は方法の実施を参照してもよく、重複の説明を省略する。
【００７９】
図９に示すとおり、本開示の実施例に係るユーザ機器９００の構造を示し、該ユーザ機器９００は、ネットワーク側から送信されたターゲットセルの測定設定に基づいてタイマを起動させる第２設定モジュール９０１と、前記タイマがタイムアウトする前に、前記ターゲットセルの必要なシステム情報を取得する取得モジュール９０２と、前記必要なシステム情報及び１つのＭＩＢの送信周波数ポイントを前記ネットワーク側に送信する第２報告モジュール９０３とを含み、前記ＭＩＢは、ＵＥが実際に読み取ったＲＭＳＩ送信位置情報のＭＩＢである。
【００８０】
本開示の実施例において、選択的には、前記第２報告モジュール９０３は、さらに、前記タイマに計時を停止するように指示し、かつ前記必要なシステム情報及び１つのＭＩＢの送信周波数ポイントを前記ネットワーク側に送信する。
【００８１】
本開示の実施例において、選択的には、前記タイマは、ネットワーク側によって設定され、又はプロトコルによって予め定められる。
【００８２】
本開示の実施例において提供されるユーザ機器は、上記方法の実施例を実行でき、その実現原理及び技術的効果は同様であるため、ここでは説明を省略する。
【００８３】
図１０に示すとおり、図１０に示すユーザ機器１０００は、少なくとも１つのプロセッサ１００１、メモリ１００２、少なくとも１つのネットワークインタフェース１００４及びユーザインタフェース１００３を含む。ユーザ機器１０００における各コンポーネントは、バスシステム１００５を介して結合される。バスシステム１００５は、これらのコンポーネント間の接続通信を実現することが理解され得る。バスシステム１００５は、データバスに加えて、電力バス、制御バス及び状態信号バスをさらに含む。しかしながら、説明を明確にするために、図１０において、様々なバスを全てバスシステム１００５と表記する。
【００８４】
ユーザインタフェース１００３は、ディスプレイ、キーボード、ポインティング機器（例えば、マウス、トラックボール（ｔｒａｃｋｂａｌｌ））、タッチパッド又はタッチスクリーンを含んでもよい。
【００８５】
本開示の実施例におけるメモリ１００２は、揮発性メモリ又は不揮発性メモリであってもよく、又は揮発性及び不揮発性メモリの両方を含んでもよいことが理解され得る。不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的消去可能なプログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってもよい。例であって限定するものではないが、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナス・ダイナミック・ランダム・アクセス・メモリ（Ｓｙｎｃｈｒｏｎｏｕｓ  ＤＲＡＭ、ＳＤＲＡＭ）、ダブル・データ・レート・シンクロナス・ダイナミック・ランダム・アクセス・メモリ（Ｄｏｕｂｌｅ  Ｄａｔａ  Ｒａｔｅ  ＳＤＲＡＭ、ＤＤＲＳＤＲＡＭ）、エンハンスド・シンクロナス・ダイナミック・ランダム・アクセス・メモリ（Ｅｎｈａｎｃｅｄ  ＳＤＲＡＭ、ＥＳＤＲＡＭ）、シンクリンク・ダイナミック・ランダム・アクセス・メモリ（Ｓｙｎｃｈｌｉｎｋ  ＤＲＡＭ、ＳＬＤＲＡＭ）及びダイレクト・ラムバス・ランダム・アクセス・メモリ（Ｄｉｒｅｃｔ  Ｒａｍｂｕｓ  ＲＡＭ、ＤＲＲＡＭ（登録商標））等の多くの形態にあるＲＡＭが使用され得る。本開示の実施例に記載されるシステム及び方法のメモリ１００２は、これらのメモリ及び適切なタイプの任意の他のメモリを含むが、これらに限定されないことが意図される。
【００８６】
幾つかの実施形態において、メモリ１００２は、動作可能なモジュール又はデータ構造、又はそれらのサブセット、又はオペレーティングシステム１００２１及びアプリケーションプログラム１００２２であるそれらの拡張セット等の要素を記憶する。
【００８７】
オペレーティングシステム１００２１は、様々な基本タスクを実現し、ハードウェアベースのタスクを処理する、フレームワーク層、コアライブラリ層及びドライバ層等の様々なシステムプログラムを含む。アプリケーションプログラム１００２２は、様々なアプリケーションサービスを実現する、メディアプレーヤー（Ｍｅｄｉａ  Ｐｌａｙｅｒ）及びブラウザ（Ｂｒｏｗｓｅｒ）等の様々なアプリケーションプログラムを含む。本開示の実施例の方法を実現するプログラムは、アプリケーションプログラム１００２２に含まれてもよい。
【００８８】
本開示の実施例において、メモリ１００２に記憶されたプログラム又は命令、具体的には、アプリケーションプログラム１００２２に記憶されたプログラム又は命令を呼び出すことにより、実行中に、ネットワーク側から送信されたターゲットセルの測定設定に基づいてタイマを起動させるステップと、前記タイマがタイムアウトする前に、前記ターゲットセルの識別情報を取得できないと判定するステップと、及び前記ＵＥが前記ターゲットセルの識別情報を取得できないことを前記ネットワーク側に報告するステップとを実現する。
【００８９】
又は、本開示の実施例において、メモリ１００２に記憶されたプログラム又は命令、具体的には、アプリケーションプログラム１００２２に記憶されたプログラム又は命令を呼び出すことにより、実行中に、ネットワーク側から送信されたターゲットセルの測定設定に基づいてタイマを起動させるステップと、前記タイマがタイムアウトする前に、前記ターゲットセルの必要なシステム情報を取得するステップと、前記必要なシステム情報及び１つのＭＩＢの送信周波数ポイントを前記ネットワーク側に送信するステップとを実現し、前記ＭＩＢは、ＵＥが実際に読み取ったＲＭＳＩ送信位置情報のＭＩＢである。
【００９０】
本開示の実施例において提供されるユーザ機器は、上記方法の実施例を実行でき、その実現原理及び技術的効果は同様であるため、ここでは説明を省略する。
【００９１】
本開示に開示された内容を参照して記載する方法又はアルゴリズムのステップは、ハードウェアの方式で実現されてもよく、プロセッサがソフトウェア命令を実行する方式で実現されてもよい。ソフトウェア命令は、対応するソフトウェアモジュールで設定されてもよく、ソフトウェアモジュールは、ＲＡＭ、フラッシュメモリ、ＲＯＭ、ＥＰＲＯＭ、ＥＥＰＲＯＭ、レジスタ、ハードディスク、取り外し可能ハードディスク、読み出し専用ディスク又は当該技術分野における他の周知の任意の形態の記憶媒体に記憶されてもよい。例示的な記憶媒体は、プロセッサに結合されることにより、プロセッサは、該記憶媒体から情報を読み取り、かつ情報を該記憶媒体に書き込むことができる。明らかに、記憶媒体は、プロセッサのコンポーネントであってもよい。プロセッサ及び記憶媒体は、ＡＳＩＣに位置してもよい。さらに、該ＡＳＩＣは、コアネットワークインタフェース機器に位置してもよい。明らかに、プロセッサ及び記憶媒体は、個別のコンポーネントとしてコアネットワークインタフェース機器に存在してもよい。
【００９２】
当業者は、上記１つ以上の例において、本開示に記載される機能がハードウェア、ソフトウェア、ファームウェア又はそれらの任意の組み合わせにより実現されてもよいことを認識すべきである。ソフトウェアにより実現されるときに、これらの機能を、コンピュータ読み取り可能な媒体に記憶してもよく、又はコンピュータ読み取り可能な媒体内の１つ以上の命令又はコードとして送信してもよい。コンピュータ読み取り可能な媒体は、コンピュータ記憶媒体及び通信媒体を含み、通信媒体は、コンピュータプログラムが１つの場所から他の場所に送信されることを可能にする任意の媒体を含む。記憶媒体は、汎用又は専用コンピュータにアクセス可能な任意の利用可能な媒体であってもよい。
【００９３】
以上の実施形態は、本開示の目的、技術手段及び有益な効果をさらに詳細に説明するが、以上は、本開示の具体的な実施形態に過ぎず、本開示の保護範囲を限定することを意図するものではないことが理解されるべきである。本開示の技術手段をもとに行われる修正、同等置換、改良等は、全て本発明の保護範囲内に含まれるものとする。
【００９４】
当業者であれば、本開示の実施例は、方法、システム又はコンピュータプログラム製品として提供できることを理解すべきである。したがって、本開示の実施例は、完全なハードウェアの実施例、完全なソフトウェアの実施例、又はソフトウェアとハードウェアを組み合わせた実施例の形態利用できる。さらに、本開示の実施例は、コンピュータ上で使用可能な、コンピュータプログラムコードを含む１つ以上の記憶媒体（ディスク媒体、ＣＤ−ＲＯＭ、光学媒体等を含むが、それらに限定されない）に実施されるコンピュータプログラム製品の形態を利用できる。
【００９５】
本開示の実施例は、本開示の実施例に係る方法、機器（システム）及びコンピュータプログラム製品のフローチャート及び／又はブロック図を参照して記載される。コンピュータプログラム命令によってフローチャート及び／又はブロック図における各フロー及び／又はブロック、及びフローチャート及び／又はブロック図におけるフロー及び／又はブロックの組み合わせを実現できることを理解すべきである。このようなコンピュータプログラム命令を、マシンを生成するために汎用コンピュータ、専用コンピュータ、埋め込み処理ユニット又は他のプログラマブルデータ処理機器のプロセッサへ提供することにより、コンピュータ又は他のプログラマブルデータ処理機器のプロセッサによって実行される命令は、フローチャートにおける１つ以上のフロー及び／又はブロック図における１つ以上のブロック内に定められる機能を実現する機器を生成することができる。
【００９６】
これらのコンピュータプログラム命令をまた、コンピュータ又は他のプログラマブルデータ処理機器を特定の方式で機能するように誘導することができるコンピュータ読み取り可能なメモリに記憶できることにより、該コンピュータ読み取り可能なメモリ内に記憶される命令は、フローチャートにおける１つ以上のフロー及び／又はブロック図における１つ以上のブロック内に定められる機能を実現する命令機器を含む製品を生成することができる。
【００９７】
これらのコンピュータプログラム命令をまた、コンピュータ又は他のプログラマブルデータ処理機器にロードできることにより、コンピュータ又は他のプログラマブル機器でコンピュータにより実現される処理を生成するために一連の操作ステップを実行すると、コンピュータ又は他のプログラマブル機器で実行される命令は、フローチャートにおける１つ以上のフロー及び／又はブロック図における１つ以上のブロックに定められる機能のステップを実現する。
【００９８】
当業者が、本開示の精神及び範囲から逸脱することなく、本開示の実施例に対して様々な修正及び変形を行うことができることは明らかである。本開示の実施例は、それらの修正及び変形が、本開示の特許請求の範囲及びその均等物によって定められる保護範囲内に属するならば、本開示もそれらの修正及び変形を包含することを意図するものである。
【符号の説明】
【００９９】
800  ユーザ機器
801  第１設定モジュール
802  判定モジュール
803  第１報告モジュール
900  ユーザ機器
901  第２設定モジュール
902  取得モジュール
903  第２報告モジュール
1000  ユーザ機器
1001  プロセッサ
1002  メモリ
1003  ユーザインタフェース
1004  ネットワークインタフェース
10021  オペレーティングシステム
10022  アプリケーションプログラム
【図１】
2021518999.tif 000003
【図２】
2021518999.tif 000004
【図３】
2021518999.tif 000005
【図４】
2021518999.tif 000006
【図５】
2021518999.tif 000007
【図６】
2021518999.tif 000008
【図７】
2021518999.tif 000009
【図８】
2021518999.tif 000010
【図９】
2021518999.tif 000011
【図１０】
2021518999.tif 000012
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
ＵＥ（Ｕｓｅｒ  Ｅｑｕｉｐｍｅｎｔ）に適用される測定報告方法であって、
ネットワーク側から送信されたターゲットセルの測定設定に基づいてタイマを起動させることと、
前記タイマがタイムアウトする前に、前記ターゲットセルの識別情報を取得できないと判定することと、
前記ＵＥが前記ターゲットセルの識別情報を取得できないことを前記ネットワーク側に報告することとを含む、測定報告方法。
【請求項２】
前記の前記ＵＥが前記ターゲットセルの識別情報を取得できないことを前記ネットワーク側に報告することは、
前記タイマがタイムアウトする前に前記タイマを停止し、前記ＵＥが前記ターゲットセルの識別情報を取得できないことを前記ネットワーク側に報告することを含む、請求項１に記載の方法。
【請求項３】
前記の前記タイマがタイムアウトする前に、前記ターゲットセルの識別情報を取得できないと判定することは、
前記タイマがタイムアウトする前に、前記測定設定に基づいて前記ターゲットセルのＭＩＢ（Ｍａｓｔｅｒ  Ｉｎｆｏｒｍａｔｉｏｎ  Ｂｌｏｃｋ）情報を取得することと、
前記ターゲットセルがＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）をブロードキャストしない第１指示を前記ＭＩＢ情報に付帯する場合、前記ターゲットセルの識別情報を取得できないと判定することとを含む、請求項１に記載の方法。
【請求項４】
前記第１指示は、前記ＭＩＢ情報における特定のコードポイント又は特定のコードポイントの組み合わせによって表され、
ここで、前記特定のコードポイントは１つのドメインに対応し、前記特定のコードポイントの組み合わせは複数のドメインに対応する、請求項３に記載の方法。
【請求項５】
前記の前記ＵＥが前記ターゲットセルの識別情報を取得できないことを前記ネットワーク側に報告することは、
前記ＵＥが前記ターゲットセルの識別情報を取得できないことを、明示的又は暗示的な報告方式で前記ネットワーク側に報告することを含む、請求項１又は２に記載の方法。
【請求項６】
前記の前記ＵＥが前記ターゲットセルの識別情報を取得できないことを、明示的な報告方式で前記ネットワーク側に報告することは、
前記ターゲットセルがセル識別情報又はＲＭＳＩをブロードキャストしていないことを指示する第２指示情報を、前記ネットワーク側に送信することを含む、請求項５に記載の方法。
【請求項７】
ユーザ機器ＵＥに適用される測定報告方法であって、
ネットワーク側から送信されたターゲットセルの測定設定に基づいてタイマを起動させることと、
前記タイマがタイムアウトする前に、前記ターゲットセルの必要なシステム情報を取得することと、
前記必要なシステム情報及び１つのＭＩＢの送信周波数ポイントを前記ネットワーク側に送信することとを含み、
ここで、前記ＭＩＢは、ＵＥが実際に読み取ったＲＭＳＩ送信位置情報のＭＩＢである、測定報告方法。
【請求項８】
前記の前記必要なシステム情報及び１つのＭＩＢの送信周波数ポイントを前記ネットワーク側に送信することは、
前記タイマを停止し、前記必要なシステム情報及び１つのＭＩＢの送信周波数ポイントを前記ネットワーク側に送信することを含む、請求項７に記載の方法。
【請求項９】
ネットワーク側から送信されたターゲットセルの測定設定に基づいてタイマを起動させる第１設定モジュールと、
前記タイマがタイムアウトする前に、前記ターゲットセルの識別情報を取得できないと判定する判定モジュールと、
ＵＥが前記ターゲットセルの識別情報を取得できないことを前記ネットワーク側に報告する第１報告モジュールとを含む、ＵＥ。
【請求項１０】
前記第１報告モジュールは、さらに、前記タイマがタイムアウトする前に、前記タイマに計時を停止するように指示し、前記ＵＥが前記ターゲットセルの識別情報を取得できないことを前記ネットワーク側に報告する、請求項９に記載のユーザ機器。
【請求項１１】
前記判定モジュールは、さらに、前記タイマがタイムアウトする前に、前記測定設定に基づいて前記ターゲットセルのＭＩＢ情報を取得し、前記ターゲットセルがＲＭＳＩをブロードキャストしない第１指示を前記ＭＩＢ情報に付帯する場合、前記ターゲットセルの識別情報を取得できないと判定する、請求項９に記載のユーザ機器。
【請求項１２】
前記第１指示は、前記ＭＩＢ情報における特定のコードポイント又は特定のコードポイントの組み合わせによって表され、
ここで、前記特定のコードポイントは１つのドメインに対応し、前記特定のコードポイントの組み合わせは複数のドメインに対応する、請求項１１に記載のユーザ機器。
【請求項１３】
前記第１報告モジュールは、さらに、前記ＵＥが前記ターゲットセルの識別情報を取得できないことを、明示的又は暗示的な報告方式で前記ネットワーク側に報告する、前記請求項９に記載のユーザ機器。
【請求項１４】
前記第１報告モジュールは、さらに、前記ターゲットセルがセル識別情報又はＲＭＳＩをブロードキャストしていないことを指示する第２指示情報を、前記ネットワーク側に送信する、請求項１０に記載のユーザ機器。
【請求項１５】
ネットワーク側から送信されたターゲットセルの測定設定に基づいてタイマを起動させる第２設定モジュールと、
前記タイマがタイムアウトする前に、前記ターゲットセルの必要なシステム情報を取得する取得モジュールと、
前記必要なシステム情報及び１つのＭＩＢの送信周波数ポイントを前記ネットワーク側に送信する第２報告モジュールとを含み、
ここで、前記ＭＩＢは、ＵＥが実際に読み取ったＲＭＳＩ送信位置情報のＭＩＢである、ユーザ機器。
【国際調査報告】
2021518999.tif 000013
2021518999.tif 000014
2021518999.tif 000015
2021518999.tif 000016